(57)【要約】      （修正有）【課題】繋がっているフィルム包装袋を確実かつ容易にミシン目に沿って切り離すことができるようにした薬収納取出器を提供する。【解決手段】薬収納取出器は、凸状の爪部４を有するように容器の周壁の上下方向に向かって切り欠き形成された切欠部３を備える。爪部の一端は、周壁と連設する一方、爪部の先端は垂直方向に向かって直線状に形成され、対向する周壁の一部と重なり合い、又は切欠部を形成する辺６と接触している。爪部は、切欠部の略中央に配設されている。繋がったフィルム包装袋１２を巻いた状態で薬収納取出器内に収納し、薬の服用時に切欠部からフィルム包装袋を周壁の外へ取り出し、ミシン目１１に沿って切り離す。フィルム包装袋又はミシン目を爪と周壁との間に挟みながら引っ張ることにより、フィルム包装袋を破損することなく、簡単に切り離すことができる。【選択図】図５
0003217075.tif 000002
【実用新案登録請求の範囲】
【請求項１】
容器の周壁の上下方向に向かって切り欠き形成された切欠部を備えたこと、
を特徴とする薬収納取出器。
【請求項２】
凸状の爪部が容器の周壁に連設するように前記周壁の上下方向に向かって切り欠き形成された切欠部を備えたこと、
を特徴とする薬収納取出器。
【請求項３】
容器の周壁の上下方向に向かって切り欠き形成された切欠部と、当該切欠部の一部を覆うように形成された爪部を備えたこと、
を特徴とする薬収納取出器。
【請求項４】
前記爪部は、前記周壁と一体形成されていること、
を特徴とする請求項２又は３に記載の薬収納取出器。
【請求項５】
前記爪部の先端は、垂直方向に向かって直線状に形成されていること、
を特徴とする請求項２から４までのいずれか１項に記載の薬収納取出器。
【請求項６】
前記爪部は、前記切欠部の略中央に配設されていること、
を特徴とする請求項２から５までのいずれか１項に記載の薬収納取出器。
【請求項７】
前記爪部の先端は、対向する前記周壁の一部と重なり合うこと、又は前記切欠部を形成する辺と接触していること、
を特徴とする請求項２から６までのいずれか１項に記載の薬収納取出器。
【請求項８】
前記爪部の先端は、対向する前記周壁との間に間隙を有すること、
を特徴とする請求項２から６までのいずれか１項に記載の薬収納取出器。
【請求項９】
前記周壁は、透明又は半透明の部材で形成されていること、
を特徴とする請求項１から８までのいずれか１項に記載の薬収納取出器。
【請求項１０】
前記薬収納取出器は、合成樹脂で形成されていること、
を特徴とする請求項１から９までのいずれか１項に記載の薬収納取出器。
【考案の詳細な説明】
【技術分野】
【０００１】
本考案は、薬を内包した包装袋を収納し、かつ一包ずつ取り出すための薬収納取出器に関する。  
【背景技術】
【０００２】
病院や調剤薬局等では、一度に飲む薬の量を一包のフィルム包装袋に内包して患者に渡している。当該フィルム包装袋は、服用する日付が印字されていて、ミシン目を介して一包ずつ繋がっているものがある。そして、服用する際に当該フィルム包装袋を一包切り離す。
【０００３】
近時では、飲み忘れや服用したことを忘れて二重に服用することを防止するため、例えば特許文献１にあるように、薬剤カレンダーのポケットに前記フィルム包装袋を一包ずつ切り離して入れて管理しておくことが行われている。
【先行技術文献】
【特許文献】
【０００４】
【特許文献１】特開２００９−４８５
【０００５】
しかしながら、薬剤カレンダーの使用に際しては、あらかじめ一度に前記フィルム包装袋を一包ずつ分離し、かつそれぞれ対応するポケットに入れなければならず手間がかかる。また、一日の大半を横になって過ごさなければならない患者にとっては、壁にかけてある薬剤カレンダーのところまで歩いて行くことが困難な場合がある。
【０００６】
一方で、手の届くところに、包装袋をまとめて袋の中に詰めておくと、いちいち袋から取り出して飲んだか否かを確認しなければならず、出し入れを頻繁に繰り返すうちに前記ミシン目が切れて包装袋がバラバラになってしまうことがある。
【０００７】
また、包装袋を切り離す際、ミシン目に沿って上手に上記フィルム包装袋を切り離すことができないことがあり、ときには繋がっていた一方の袋を破損してしまい、その中の薬をこぼしてしまうことがしばしば起きていた。
【考案の概要】
【考案が解決しようとする課題】
【０００８】
本考案は、上記問題点を解決するためになされたものであって、場所を選ばずに保管でき、かつ繋がっている前記フィルム包装袋を巻いて容器内に保管しながら一見して服用したか否かを確認できるようにするとともに、包装袋を取り出す際には確実かつ容易にミシン目に沿って切り離すことができるようにした薬収納取出器を提供するものである。
【課題を解決するための手段】
【０００９】
上記解題を解決するために、本考案に係る薬収納取出器の第１の特徴は、容器の周壁の上下方向に向かって切り欠き形成された切欠部を備えたことにある。
【００１０】
また、本考案に係る薬収納取出器の第２の特徴は、凸状の爪部が容器の周壁に連設するように前記周壁の上下方向に向かって切り欠き形成された切欠部を備えたことにある。
【００１１】
さらに、本考案に係る薬収納取出器の第３の特徴は、容器の周壁の上下方向に向かって切り欠き形成された切欠部と、当該切欠部の一部を覆うように形成された爪部を備えたことにある。
【００１２】
さらにまた、本考案に係る薬収納取出器の第４の特徴は、前記第２又は３の特徴における前記爪部が、前記周壁と一体形成されていることにある。
【００１３】
また、本考案に係る薬収納取出器の第５の特徴は、前記第２から４までのいずれかの特徴における前記爪部の先端が、垂直方向に向かって直線状に形成されていることにある。
【００１４】
さらに、本考案に係る薬収納取出器の第６の特徴は、前記第２から５までのいずれかの特徴における前記爪部が、前記切欠部の略中央に配設されていることにある。
【００１５】
さらにまた、本考案に係る薬収納取出器の第７の特徴は、前記第２から６までのいずれかの特徴における前記爪部の先端が、対向する前記周壁の一部と重なり合うこと、又は前記切欠部を形成する辺と接触していることにある。
【００１６】
また、本考案に係る薬収納取出器の第８の特徴は、前記第２から６までのいずれかの特徴における前記爪部が、対向する前記周壁との間に間隙を有することにある。
【００１７】
さらに、本考案に係る薬収納取出器の第９の特徴は、前記第１から８までのいずれかの特徴における前記周壁が透明又は半透明の部材で形成されていることにある。
を特徴とする請求項１から８までのいずれか１項に記載の薬収納取出器。
【００１８】
さらにまた、本考案に係る薬収納取出器の第１０の特徴は、前記第１から９までのいずれかの特徴における前記薬収納取出器が合成樹脂で形成されていることにある。
【考案の効果】
【００１９】
本考案によれば、薬が内包されたフィルム包装袋を複数繋がった状態で収納し、一見して服用すべき薬が確認できるので、飲み忘れや二重の服用を防止することができるとともに、手元に置きながら必要な分だけを必要なときに取り出し、力を入れることなくきれいに一包ずつ切り離すことができる。
【図面の簡単な説明】
【００２０】
【図１】図１は本考案に係る薬収納取出器の実施例１を示す斜視図である。
【図２】図２は本考案に係る薬収納取出器の実施例２を示す斜視図である。
【図３】図３は実施例２の正面図である。
【図４】図４はフィルム包装袋が実施例２の薬収納取出器内に収納されている状態を示した斜視図である。
【図５】図５はフィルム包装袋を実施例２の薬収納取出器の爪部と周壁とで挟んでいる状態を示した図である。
【図６】図６はフィルム包装袋のミシン目を実施例２の薬収納取出器の爪部と周壁とで挟んでいる状態を示した図である。
【考案を実施するための形態】
【００２１】
以下、図を参照して、本考案の実施形態を説明する。
【実施例１】
【００２２】
図１から６は、本考案に係る薬収納取出器の実施の形態を示した図であり、図１は実施例１を、図２から６は実施例２をそれぞれ表している。そのうち図１及び２は蓋を備えた状態の薬収納取出器を、図３から６は便宜的に蓋のない状態での薬収納取出器の例をそれぞれ示している。
【００２３】
図中、１は本考案に係る薬収納取出器である。薬収納取出器１は、病院や調剤薬局等で処方される粉状、粒状又はカプセル状の薬が内包されたフィルム包装袋を収納する容器であり、底部及び周壁２を有している。周壁２の頂部には蓋５が取り付けられる。本実施の形態では、薬収納取出容器１は略筒状に形成されているが、例えば方形状等、その形状は問わない。また、容器１内のフィルム包装袋が見えるように透明又は半透明とし、軽量化を図るためプラスチック等の合成樹脂で形成されていることが望ましい。
【００２４】
また、前記フィルム包装袋は、ミシン目を介して一包ずつ横又は縦に繋がっているものであり、その条件を満たせば、一般の薬局で市販されている薬のアルミ製等の包装袋であってもよい。なお、図４は横に繋がった状態での前記フィルム包装袋が巻いてある状態で薬収納取出器１に収納されている状態を示している。
【００２５】
周壁２は、頂部から底部にかけて上下方向に略長方形状に切り欠き形成された切欠部３を有している。切欠部３は、薬収納取出器１内に収納されている前記フィルム包装袋をそこから取り出すために設けられたものである。すなわち、薬の服用時間に切欠部３よりフィルム包装袋１０を引き出して、ミシン目１１に沿ってフィルム包装袋１２と分離し、患者はフィルム包装袋１０の一部を切ってその中の薬を取り出して服用する。一方、フィルム包装袋１２は薬収納取出器１内に収納される。薬収納取出器１が透明の部材で形成されていて、フィルム包装袋に服用すべき日時が記されている場合、次に服用すべき薬がいつの分なのか（すなわち、今服用した薬がいつの分であるのか）が一目瞭然となり、薬の飲み忘れや二重服用を防止することができる。
【実施例２】
【００２６】
図２から６は本発明の実施例２を示したものである。実施例２は、実施例１の切欠部３の一部を覆うように凸状の爪部４が設けられているものである。爪部４は、切欠辺７側の周壁２から切欠辺６側の周壁２にかけて突出形成されていて、本実施例では爪部４は切欠部３を上部と下部とに分けるように切欠部３の上下方向略中央に形成されている。爪部４は、フィルム包装袋をミシン目に沿って分離するのを容易にするためのものである。
【００２７】
爪部４は、図示の例では略正方形状で、その先端部は垂直状に形成されている。また、爪部４の一端は、周壁２の切欠辺７と一体となって連設されていて、先端部は切欠辺６とは固定されておらず、切欠辺６側の周壁２と重なるか、切欠辺６と接触し又は僅かな隙間を開けて接触しないように形成される。本実施例では、爪部４は周壁２と一体形成されているが、例えば略長方形状の切欠部３と爪部４とを別に作成して、爪部４の一端を周壁２と固着して切欠部３の一部を覆うように形成してもよい。また、爪部４の取り付け位置は任意であり、切欠辺６と連設して先端が切欠辺７と対向してもよく、高さも自由である。さらに、爪部４の形状は正方形に限定されず、丸型、三角形等その形状は問わない。
【００２８】
次に、薬収納取出器１の使用方法について説明する。最初に繋がったフィルム包装袋を巻いた状態で薬収納取出器１内に入れて収納し蓋５をする。そして、薬の服用時に切欠部３からフィルム包装袋１０を周壁２の外へ取り出し、フィルム包装袋１０をフィルム包装袋１２からミシン目１１に沿って切り離す。
【００２９】
実施例２においては、図３及び図４にあるように、フィルム包装袋１２又はミシン目１１を爪４と周壁２との間に挟みながらフィルム包装袋１０を様々な方向に引っ張ることにより、フィルム包装袋１２からフィルム包装袋１０を、いずれのフィルム包装袋を破損することなく、簡単に切り離すことができる。なお、図５にあるように、爪４を指で押さえながらフィルム包装袋を引っ張ることにより、よりスムーズにフィルム包装袋１０を切り離すことが可能である。
【産業上の利用可能性】
【００３０】
本考案は、薬が内包された包装袋を巻いた状態で収納し、各包装袋を分離するものとして説明したが、ミシン目を有する包装袋であれば、薬以外の他の分野で利用されるものに対しても使用することができる。
【符号の説明】
【００３１】
１            薬収納取出器
２            周壁
３            切欠部
４            爪部
５            蓋
１０、１２    フィルム包装袋
１１          ミシン目
【図１】
0003217075.tif 000003
【図２】
0003217075.tif 000004
【図３】
0003217075.tif 000005
【図４】
0003217075.tif 000006
【図５】
0003217075.tif 000007
【図６】
0003217075.tif 000008